(57)【要約】    【課題】  模様を外周面に電飾表示して、装飾的効果を増大させた電飾容器を提供すること。    【解決手段】  本発明では、電飾容器において、外周面に透光性を有する表示部を形成した外側容器の内側に、飲料を貯留する内側容器を配設するとともに、内側容器の下方に発光装置を設け、この発光装置から放射された光を外側容器の表示部へ向けて反射する反射面を内側容器の外周面に形成した。特に、外側容器の内側に内側容器を着脱自在に装着するとともに、内側容器に発光装置を交換可能に装着した。また、表示部に視線方向に応じて画像が変化する可変画像を形成するとともに、発光装置に複数の発光部を外側容器の外周面に沿って配置し、発光装置の発光部を外側容器の外周面に沿って順番に発光させるように構成した。【選択図】      図１
2007000217.tif 000002
【特許請求の範囲】
【請求項１】
外周面に透光性を有する表示部を形成した外側容器の内側に、飲料を貯留する内側容器を配設するとともに、内側容器の下方に発光装置を設け、この発光装置から放射された光を外側容器の表示部へ向けて反射する反射面を内側容器の外周面に形成したことを特徴とする電飾容器。
【請求項２】
外側容器の内側に内側容器を着脱自在に装着するとともに、内側容器に発光装置を交換可能に装着したことを特徴とする請求項１に記載の電飾容器。
【請求項３】
表示部に視線方向に応じて画像が変化する可変画像を形成するとともに、発光装置に複数の発光部を外側容器の外周面に沿って配置し、発光装置の発光部を外側容器の外周面に沿って順番に発光させるように構成したことを特徴とする請求項１又は請求項２に記載の電飾容器。
【発明の詳細な説明】
【技術分野】
【０００１】
本発明は、電飾を施した容器に関するものである。
【背景技術】
【０００２】
従来より、飲料用の容器（コップ）に装飾的効果を付加するために、容器に発光装置による電飾を施した電飾容器が知られている。
【０００３】
この従来の電飾容器は、たとえば特許文献１に開示されている照明型容器のように、容器の底壁に透光性を有する表示部を形成するとともに、底壁の下側に発光装置を配置して、発光装置から放射された光によって底壁の表示部を照らして、容器の底壁に模様が現出されるように構成していた。
【特許文献１】特開２００４−１０５２３１号公報
【発明の開示】
【発明が解決しようとする課題】
【０００４】
ところが、上記従来の電飾容器では、容器の底壁に模様が現出されるように構成されていたために、容器内の飲料を飲む人を楽しませるだけで、周囲にいる人に対して電飾された模様を見せることができず、大きな装飾的効果を得ることができないものであった。
【課題を解決するための手段】
【０００５】
そこで、請求項１に係る本発明では、電飾容器において、外周面に透光性を有する表示部を形成した外側容器の内側に、飲料を貯留する内側容器を配設するとともに、内側容器の下方に発光装置を設け、この発光装置から放射された光を外側容器の表示部へ向けて反射する反射面を内側容器の外周面に形成することにした。
【０００６】
また、請求項２に係る本発明では、前記請求項１に係る本発明において、外側容器の内側に内側容器を着脱自在に装着するとともに、内側容器に発光装置を交換可能に装着することにした。
【０００７】
また、請求項３に係る本発明では、前記請求項１又は請求項２に係る本発明において、表示部に視線方向に応じて画像が変化する可変画像を形成するとともに、発光装置に複数の発光部を外側容器の外周面に沿って配置し、発光装置の発光部を外側容器の外周面に沿って順番に発光させるように構成することにした。
【発明の効果】
【０００８】
そして、本発明では、以下に記載する効果を奏する。
【０００９】
すなわち、請求項１に係る本発明では、電飾容器において、外周面に透光性を有する表示部を形成した外側容器の内側に、飲料を貯留する内側容器を配設するとともに、内側容器の下方に発光装置を設け、この発光装置から放射された光を外側容器の表示部へ向けて反射する反射面を内側容器の外周面に形成しているために、電飾容器の外周面に模様が現出することになり、電飾容器による装飾的効果を増大させることができ、しかも、内側容器の外周面を反射面として有効に利用しているために、発光装置から放射された光を外側容器の表示部へ向けて反射させるための反射部材を別個必要とすることがなく、電飾容器の製造コストの増大を防止することができる。
【００１０】
また、請求項２に係る本発明では、外側容器の内側に内側容器を着脱自在に装着するとともに、内側容器に発光装置を交換可能に装着しているために、外側容器と内側容器の組み合わせが自由となり、外側容器を交換することで様々な種類の模様を現出する電飾容器に容易に交換することができ、また、発光装置との組み合わせも自由となり、発光装置を交換することで様々な種類の発光パターンを現出する電飾容器に容易に交換することができる。
【００１１】
また、請求項３に係る本発明では、表示部に視線方向に応じて画像が変化する可変画像を形成するとともに、発光装置に複数の発光部を外側容器の外周面に沿って配置し、発光装置の発光部を外側容器の外周面に沿って順番に発光させるように構成しているために、視線の方向を変化させなくても発光装置から順番に放射される光によって表示部の画像が自然に変化する模様を現出することができ、電飾容器による装飾的効果をより一層増大させることができる。
【発明を実施するための最良の形態】
【００１２】
以下に、本発明に係る電飾容器の具体的な構造について図面を参照しながら説明する。
【００１３】
図１〜図３に示すように、電飾容器１は、上部開口を有する有底筒型状の外側容器２及び内側容器３と、内側容器３の下端に螺着した略円柱状の発光装置４とで構成している。
【００１４】
外側容器２は、透光性を有するプラスチック素材からなり、内周面上部に水平環状の段部５を形成するとともに、外周面に透光性を有する表示部６を形成している。
【００１５】
この表示部６は、図４に示すように、透光性を有する周壁７の外周面に透光性を有する模様板８を貼着し、さらに、模様板８の外周面にシート状のレンチキュラーレンズ９を貼着している。これにより、表示部６には、視線方向に応じて模様板８に描画した画像が変化して見える可変画像が形成されている。なお、表示部６は、レンチキュラーレンズ９を用いた立体的な画像やフォログラムを用いた立体的な画像でもよく、また、単に透光性を有する周壁７に直接描画した平面的な画像でもよい。
【００１６】
内側容器３は、白色のプラスチック素材からなり、上端部に外側容器２の上端縁部に係止する縁部を外側へ向けて折り返し状に形成するとともに、外周面上部に外側容器２の段部５に係止する水平環状の段部10を形成している。
【００１７】
これにより、内側容器３は、外側容器２の上部開口から外側容器２の内側へ挿入することによって、内側容器３の縁部と段部10とが外側容器２の上端縁部と段部５とにそれぞれ係止した状態で外側容器２の内側に着脱自在に装着される。
【００１８】
また、内側容器３は、内周部に飲料を貯留するための貯留部11を形成するとともに、外周部を上方へ向けて拡径し、外周面に傾斜状の反射面12を形成している。
【００１９】
さらに、内側容器３は、下端部に筒状の雄ネジ部13を形成し、この雄ネジ部13に発光装置４を着脱自在に螺着している。
【００２０】
発光装置４は、図３及び図５に示すように、略円柱状のケーシング14の上部に筒状の雌ネジ部15を形成し、この雌ネジ部15を内側容器３の雄ネジ部13に螺着している。
【００２１】
また、発光装置４は、ケーシング14の上部に末広がり状の傾斜面16を形成し、この傾斜面16に内側から外側へ向けて光を分散させるレンズ部17を円周方向に均等に間隔をあけて３箇所形成している。
【００２２】
さらに、発光装置４は、ケーシング14の下端開口にカバー18を着脱自在に密閉状に取付けており、ケーシング14の内部に円板状のプリント配線基板19を取付けている。
【００２３】
このプリント配線基板19には、上面中央部にコントローラ20を実装し、上面周縁部に３個の発光ダイオード21を円周方向に均等に間隔をあけて実装し、さらには、下面中央部にスイッチ22を実装している。なお、プリント配線基板19には、コントローラ20や発光ダイオードで電力を供給するための電池も交換自在に実装している。
【００２４】
ここで、コントローラ20は、３個の発光ダイオード21を順番に点灯させるように制御する回路が内蔵されているが、３個の発光ダイオード21を同時に点灯させたり、ランダムに点灯させたり、同時点灯と順次点灯とを時系列的に繰り返すような制御回路を内蔵させることもできる。
【００２５】
また、３個の発光ダイオード21は、それぞれ異なる単一色を発光するものを使用しているが、同一色を発光するものでもよく、また、１個の発光ダイオード21で複数色を発光するものを使用することもできる。この３個の発光ダイオード21は、ケーシング14に形成したレンズ部17の直下方位置に配置している。
【００２６】
さらに、スイッチ22は、オンオフスイッチを使用しているが、コントローラ20による発光パターンを変更させたり、発光ダイオード21の発光色を変更させるためのディップスイッチを使用することもできる。なお、スイッチ22は、カバー18の中央部に形成した貫通孔から操作できるようになっている。
【００２７】
電飾容器１は、以上に説明した構成となっており、発光装置４の発光ダイオード21を点灯すると、発光ダイオード21から放射された光がケーシング14のレンズ部17で拡散され、一部の光が直接的に外側容器２の表示部６を通過し、また、残りの光が内側容器３の反射面12で反射して間接的に外側容器２の表示部６を通過して、外側容器２の表示部６を内側から略均等に光を照らして外側容器２の表示部６に模様を現出させるようになっている。
【００２８】
このように、上記電飾容器１では、外周面に透光性を有する表示部６を形成した外側容器２の内側に、飲料を貯留する内側容器３を配設するとともに、内側容器３の下方に発光装置４を設け、この発光装置４から放射された光を外側容器２の表示部６へ向けて反射する反射面12を内側容器３の外周面に形成しているために、電飾容器１の外周面に模様が現出することになり、周囲の多くの人に対して模様を見せることができるので、電飾容器１による装飾的効果を増大させることができ、しかも、内側容器３の外周面を反射面12として有効に利用しているために、発光装置４から放射された光を外側容器２の表示部６へ向けて反射させるための反射部材を別個必要とすることがなく、電飾容器１の製造コストの増大を防止することができる。
【００２９】
また、上記電飾容器１では、発光装置４のケーシング14の上部に末広がり状の傾斜面16を形成しているために、外側容器２の内側で結露が生じても、傾斜面16に沿って水滴が外側容器２の底まで流れ落ち、発光装置４の内部に水滴が侵入して発光装置４が誤動作してしまうのを未然に防止することができる。
【００３０】
しかも、上記電飾容器１では、発光装置４と外側容器２の底との間に間隔をあけているために、外側容器２の底に水滴が溜まっても、発光装置４が水滴に浸されることがなく、これによっても発光装置４の内部に水滴が侵入して発光装置４が誤動作してしまうのを未然に防止することができる。
【００３１】
また、上記電飾容器１では、内側容器３を白色のプラスチック素材で形成して、反射面12で全ての光を乱反射させるようにしているが、反射面12にアルミニウムを蒸着させるなどして鏡面加工して全ての光を反射させるようにしてもよく、また、内側容器３を半透明の乳濁色のプラスチック素材で形成して、内部の飲料の色や量に応じて反射率や反射した光の色が変化することによって表示部６での模様が変化するようにすることもできる。
【００３２】
また、上記電飾容器１では、外側容器２の内側に内側容器３を着脱自在に装着するとともに、内側容器３に発光装置４を交換可能に装着しているために、外側容器２と内側容器３の組み合わせが自由となり、外側容器２を交換することで様々な種類の模様を現出する電飾容器１に容易に交換することができ、また、発光装置４との組み合わせも自由となり、発光装置４を交換することで様々な種類の発光パターンを現出する電飾容器１に容易に交換することができる。
【００３３】
さらに、上記電飾容器１では、表示部６に視線方向に応じて画像が変化する可変画像を形成するとともに、発光装置４に複数の発光部として発光ダイオード21を外側容器２の外周面に沿って配置し、発光装置４の発光部を外側容器２の外周面に沿って順番に発光させるように構成しているために、視線の方向を変化させなくても発光装置４から順番に放射される光によって表示部６の画像が自然に変化する模様を現出することができ、電飾容器１による装飾的効果をより一層増大させることができる。
【図面の簡単な説明】
【００３４】
【図１】本発明に係る電飾容器を示す斜視図。
【図２】同分解図。
【図３】同縦断面図。
【図４】同部分拡大横断面図。
【図５】発光装置を示す一部切欠平面。
【符号の説明】
【００３５】
１  電飾容器                            ２  外側容器
３  内側容器                            ４  発光装置
５  段部                                ６  表示部
７  周壁                                ８  模様板
９  レンチキュラーレンズ                10  段部
11  貯留部                              12  反射面
13  雄ネジ部                            14  ケーシング
15  雌ネジ部                            16  傾斜面
17  レンズ部                            18  カバー
19  プリント配線基板                    20  コントローラ
21  発光ダイオード                      22  スイッチ
【図１】
2007000217.tif 000003
【図２】
2007000217.tif 000004
【図３】
2007000217.tif 000005
【図４】
2007000217.tif 000006
【図５】
2007000217.tif 000007